(57)【要約】【課題】救急隊員の業務負担を軽減できる救急業務総合支援システムを提供する。【解決手段】救急業務総合支援システム１は、救急サーバ２と、救急隊員端末３と、資料作成サーバ１０と、指令サーバ１１とを備える。救急サーバ２は、第１の救急サーバ２Ａと、第２の救急サーバ２Ｂとで構成されている。指令サーバ１１は、第１の救急サーバ２Ａに、第１の傷病者情報を送信する。第２の救急サーバ２Ｂは、第１の傷病者情報を、救急隊員端末３に送信する。救急隊員端末３は、受信した第１の傷病者情報に、救急車内の傷病者に基づいた情報である第２の傷病者情報を加えて、救急活動情報を作成する。救急隊員端末３は、作成した救急活動情報を第２の救急サーバ２Ｂへ送信する。第２の救急サーバ２Ｂは、救急活動情報を、即時、病院端末１６へ伝送する。第１の救急サーバ２Ａは、資料作成サーバ１０へ救急活動情報を転送する。【選択図】図１
2014130516.tif 000002
【特許請求の範囲】
【請求項１】
救急移動体で搬送される前の傷病者に関する情報である第１の傷病者情報を記録する第１の傷病者情報記録部と、該第１の傷病者情報記録部に記録された前記第１の傷病者情報を送信する第１の傷病者情報送信部とを有し、救急隊員端末と通信回線を介して通信可能な救急サーバと、
該救急サーバから通信回線を介して前記第１の傷病者情報を受信する第１の傷病者情報受信部と、該第１の傷病者情報受信部で受信した前記第１の傷病者情報に、救急移動体内の傷病者に基づいた情報である第２の傷病者情報を加えて、救急活動に関する情報である救急活動情報を作成する救急活動情報作成部と、該救急活動情報作成部で得られた救急活動情報を前記救急サーバへ通信回線を介して送信する救急活動情報送信部とを有する救急隊員端末とを備える
救急業務総合支援システム。
【請求項２】
前記救急サーバは、前記救急隊員端末から通信回線を介して受信した前記救急活動情報を通信回線を介して転送する救急活動情報転送部を有し、
前記救急サーバから受信した救急活動情報に基づいて、救急活動に関する統計資料を作成する資料作成サーバを備える
請求項１に記載の救急業務総合支援システム。
【請求項３】
前記救急サーバに、通信回線を介して前記第１の傷病者情報を送信する指令サーバを備える
請求項１または請求項２に記載の救急業務総合支援システム。
【請求項４】
前記救急サーバは、前記救急隊員端末から通信回線を介して受信した前記救急活動情報を通信回線を介して転送する救急活動情報転送部を有し、
前記救急サーバから受信した救急活動情報に基づいて、救急活動に関する統計資料を作成する資料作成サーバと、
前記救急サーバに、通信回線を介して前記第１の傷病者情報を送信する指令サーバとを備え、
前記救急サーバは、前記指令サーバから通信回線を介して前記第１の傷病者情報を受信し、かつ前記資料作成サーバへ通信回線を介して前記救急活動情報を転送する第１の救急サーバと、該第１の救急サーバが前記指令サーバから受信する前記第１の傷病者情報を同期して受信し、同第１の傷病者情報を前記救急隊員端末に送信する第２の救急サーバとで構成された
請求項１に記載の救急業務総合支援システム。
【請求項５】
前記救急隊員端末は、前記傷病者の傷病の原因となる動物に関する情報を記録する動物情報記録部を有する
請求項１〜４のいずれか１つに記載の救急業務総合支援システム。
【請求項６】
前記救急隊員端末は、医師に関する情報である医師情報を専門分野別に記録する医師情報記録部と、前記傷病者の傷病の種類と前記医師情報記録部に記録された専門分野とを照合して、前記傷病者の傷病の種類に対応する専門分野の医師が所属する医療機関を選択する医療機関選択部とを有し、
前記救急隊員端末の前記救急活動情報作成部は、さらに前記医療機関選択部が選択した医療機関に関する情報である医療機関情報に基づいて救急活動情報を作成し、
前記救急サーバは、前記救急隊員端末の前記医療機関選択部が選択した医療機関の医療機関端末から閲覧可能に構成された領域ごとに、同医療機関に対応する前記救急活動情報を記録する救急活動情報記録部を有する
請求項１〜５のいずれか１つに記載の救急業務総合支援システム。
【請求項７】
救急サーバから通信回線を介して、救急移動体で搬送される前の傷病者に関する情報である第１の傷病者情報を受信する第１の傷病者情報受信部と、
該第１の傷病者情報受信部で受信した前記第１の傷病者情報に、救急移動体内の傷病者に基づいた情報である第２の傷病者情報を加えて、救急活動に関する情報である救急活動情報を作成する救急活動情報作成部と、
該救急活動情報作成部で得られた救急活動情報を前記救急サーバへ通信回線を介して送信する救急活動情報送信部とを有する救急隊員端末を備える
救急業務総合支援システム。
【発明の詳細な説明】
【技術分野】
【０００１】
本発明は救急業務総合支援システムに関する。詳しくは、例えば、救急車で傷病者を搬送する救急隊員を支援する救急業務総合支援システムに係るものである。
【背景技術】
【０００２】
急病人やケガ人など、救急車で搬送されるべき傷病者が発生した場合、傷病者または傷病者の介護者によって、指令センターへ傷病者の容態が伝えられる。
そして、指令センターは、傷病者のもとへ救急隊員を派遣する。
【０００３】
次に、傷病者のもとへ到着した救急隊員は、傷病者に応急処置を施すと共に、救急車によって傷病者を病院へ搬送する。
【０００４】
また、救急隊員は、傷病者の傷病状況を調べ、病院に傷病者の受入れが可能か否かを確認するために、病院ごとに連絡して傷病者受入れを要請する。
また、各病院は、傷病者受入れの要請を受けてから、傷病者の受入れが可能か否かを判断する。
【０００５】
そして、救急隊員は、傷病者受入れを了解した病院に傷病者を搬送する。また、病院が傷病者受入れを拒否した場合には、救急隊員は、別の病院に連絡し、その病院に傷病者受入れを要請する。
【０００６】
このような状況において、例えば特許文献１には、医師用または患者用携帯電話に患者情報を保持し、容易に参照して、緊急時に治療の継続を可能にし、あるいは診療情報を提供できる電子カルテ情報参照方法が記載されている。
【０００７】
すなわち、特許文献１には、医療機関の電子カルテシステムに使用されるプログラムとは別個の携帯電話専用の電子カルテ情報参照プログラムをダウンロードして携帯電話にインストールし、医療機関の電子カルテシステムから必要な限度で１以上の患者の電子カルテ情報を直接取り込んで携帯電話のメモリに記憶し、必要なときにインストールした電子カルテ情報参照プログラムを使用して携帯電話に記憶した個人電子カルテを参照する、電子カルテ情報参照方法が記載されている。
【先行技術文献】
【特許文献】
【０００８】
【特許文献１】特開２００８−０１５８２０号公報
【発明の概要】
【発明が解決しようとする課題】
【０００９】
ところで、救急搬送の現場では、救急隊員から病院などの医療機関への情報伝達は、携帯電話を用いて行われているが、このような情報伝達は、口頭での伝達であるため、迅速かつ正確な情報伝達ができていなかった。
そのため、医師の適切な処置判断が行ないにくかったり、病院の受け入れ準備が遅延したりしていた。
【００１０】
また、救急隊員の業務は、単に傷病者を病院に搬送したり、搬送中に処置を施したりするだけではない。救急隊員の業務には、病院へ搬送した際に病院へ提出しなければならない、救急業務メディカルコントロール協議会が定める書類（救急活動について記録した救急活動記録票など）の作成もある。
しかし、書類作成は救急隊員の手書きで行なわれており、この書類作成が救急隊員の業務負担を増大させていた。また、書類に記入された情報は、電子化もされていないので、その情報の二次利用が煩雑となっていた。
【００１１】
さらに、救急隊員の業務には、搬送業務を終えて消防署に持ち帰った救急活動記録票の写しを基に、消防署のサーバシステム（消防支援情報管理システム）に、救急活動記録票の記入情報を手入力する業務もある。しかし、この入力作業も、救急隊員の業務負担を増大させていた。
【００１２】
また、近年、救急隊員は出動機会も多く、搬送件数も年々増加傾向にあり、救急隊員の業務負担は増すばかりである。
従って、救急隊員の業務負担を軽減できるシステムが求められていた。
【００１３】
本発明は、以上の点に鑑みて創案されたものであり、救急隊員の業務負担を軽減できる救急業務総合支援システムを提供することを目的とする。
【課題を解決するための手段】
【００１４】
上記の目的を達成するために、本発明の救急業務総合支援システムは、救急移動体で搬送される前の傷病者に関する情報である第１の傷病者情報を記録する第１の傷病者情報記録部と、該第１の傷病者情報記録部に記録された前記第１の傷病者情報を送信する第１の傷病者情報送信部とを有し、救急隊員端末と通信回線を介して通信可能な救急サーバと、該救急サーバから通信回線を介して前記第１の傷病者情報を受信する第１の傷病者情報受信部と、該第１の傷病者情報受信部で受信した前記第１の傷病者情報に、救急移動体内の傷病者に基づいた情報である第２の傷病者情報を加えて、救急活動に関する情報である救急活動情報を作成する救急活動情報作成部と、該救急活動情報作成部で得られた救急活動情報を前記救急サーバへ通信回線を介して送信する救急活動情報送信部とを有する救急隊員端末とを備える。
【００１５】
また、上記の目的を達成するために、本発明の救急業務総合支援システムは、救急サーバから通信回線を介して、救急移動体で搬送される前の傷病者に関する情報である第１の傷病者情報を受信する第１の傷病者情報受信部と、該第１の傷病者情報受信部で受信した前記第１の傷病者情報に、救急移動体内の傷病者に基づいた情報である第２の傷病者情報を加えて、救急活動に関する情報である救急活動情報を作成する救急活動情報作成部と、該救急活動情報作成部で得られた救急活動情報を前記救急サーバへ通信回線を介して送信する救急活動情報送信部とを有する救急隊員端末を備える。
【００１６】
ここで、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部によって、第２の傷病者情報が入力されるだけで救急活動情報が作成されるので、搬送先の医療機関に提出される、救急活動情報が記録された書類の作成作業を軽減することができる。
【００１７】
また、救急サーバから通信回線を介して第１の傷病者情報を受信する第１の傷病者情報受信部によって、救急隊員は、救急活動情報を作成するために必要な情報を救急隊員端末に入力する作業を省くことができる。
【００１８】
また、本発明の救急業務総合支援システムにおいて、救急サーバは、救急隊員端末から通信回線を介して受信した救急活動情報を通信回線を介して転送する救急活動情報転送部を有し、救急サーバから受信した救急活動情報に基づいて、救急活動に関する統計資料を作成する資料作成サーバを備えるものとすることができる。
【００１９】
この場合、資料作成サーバが、救急サーバから救急活動情報を受信して、統計資料を作成するので、救急隊員が消防署に戻った後の救急隊員による統計資料作成のための入力業務を軽減することができる。
【００２０】
さらに、本発明の救急業務総合支援システムが、救急サーバに、通信回線を介して第１の傷病者情報を送信する指令サーバを備える場合、最初に救急情報を受ける指令センターの指令サーバの第１の傷病者情報が、救急サーバを介して救急隊員端末に間接的に伝えられるので、指令センターと連携でき、救急隊員端末は救急活動情報を作成しやすい。
【００２１】
また、本発明の救急業務総合支援システムにおいて、救急サーバは、救急隊員端末から通信回線を介して受信した救急活動情報を通信回線を介して転送する救急活動情報転送部を有し、救急サーバから受信した救急活動情報に基づいて、救急活動に関する統計資料を作成する資料作成サーバと、救急サーバに、通信回線を介して第１の傷病者情報を送信する指令サーバとを備え、救急サーバは、指令サーバから通信回線を介して第１の傷病者情報を受信し、かつ資料作成サーバへ通信回線を介して救急活動情報を転送する第１の救急サーバと、第１の救急サーバが指令サーバから受信する第１の傷病者情報を同期して受信し、第１の傷病者情報を救急隊員端末に送信する第２の救急サーバとで構成されたものとすることができる。
【００２２】
この場合、救急サーバとして、２つの別個のサーバを使用し、指令サーバからの受信と、資料作成サーバへの転送を一方のサーバのみで行なっているので、不具合時の原因究明を行ないやすい。
また、救急隊員端末と、指令サーバおよび資料作成サーバとは、直接通信せずに、救急サーバを介して通信する構成なので、指令サーバや資料作成サーバのセキュリティを確保することができる。
【００２３】
また、本発明の救急業務総合支援システムにおいて、救急隊員端末が、傷病者の傷病の原因となる動物に関する情報を記録する動物情報記録部を有する場合、傷病者に、救急隊員端末の画面を見せて、どのような動物が原因で傷病を負ったのかを直接聞き出すことができる。
【００２４】
また、本発明の救急業務総合支援システムにおいて、救急隊員端末は、医師に関する情報である医師情報を専門分野別に記録する医師情報記録部と、傷病者の傷病の種類と医師情報記録部に記録された専門分野とを照合して、傷病者の傷病の種類に対応する専門分野の医師が所属する医療機関を選択する医療機関選択部とを有し、救急隊員端末の救急活動情報作成部は、さらに医療機関選択部が選択した医療機関に関する情報である医療機関情報に基づいて救急活動情報を作成し、救急サーバは、救急隊員端末の医療機関選択部が選択した医療機関の医療機関端末から閲覧可能に構成された領域ごとに、医療機関に対応する救急活動情報を記録する救急活動情報記録部を有するものとすることができる。
【００２５】
この場合、救急隊員端末の医療機関選択部が選択した医療機関の医療機関端末から閲覧可能に構成された領域ごとに、医療機関に対応する救急活動情報を記録するので、傷病者の傷病の種類に対応する専門分野の医師が所属する医療機関と連絡をとりやすくなり、救命率を向上させることができる。
【発明の効果】
【００２６】
本発明に係る救急業務総合支援システムは、救急隊員の業務負担を軽減できる。
【図面の簡単な説明】
【００２７】
【図１】本発明を適用した救急業務総合支援システムの全体の構成の一例を示す概略図である。
【図２】本発明を適用した救急業務総合支援システムの流れの一例を説明する概略フロー図である。
【発明を実施するための形態】
【００２８】
以下、本発明の実施の形態について図面を参照しながら説明し、本発明の理解に供する。
図１は、本発明に係る救急業務総合支援システムの全体の構成の一例を示す概略図である。また、図２は、本発明に係る救急業務総合支援システムの流れの一例を説明する概略フロー図である。
【００２９】
図１に示す本発明の救急業務総合支援システム１は、救急サーバ２と、救急隊員が使用する救急隊員端末３と、消防署の資料作成サーバ１０と、消防署の指令センターに設置された指令サーバ１１とを備える。
【００３０】
また、資料作成サーバ１０と救急サーバ２、指令サーバ１１と救急サーバ２はそれぞれ、専用通信回線を介して通信可能である。
また、救急サーバ２と救急隊員端末３は、専用通信回線を介して通信可能である。
【００３１】
また、救急サーバ２は、第１の救急サーバ２Ａと、第２の救急サーバ２Ｂとで構成されている。
【００３２】
また、指令サーバ１１は、第１の救急サーバ２Ａに、専用通信回線を介して、救急車（救急移動体の一例である。）で搬送される前の傷病者に関する情報である第１の傷病者情報を送信する。
ここで、「第１の傷病者情報」とは、具体的には例えば、傷病者の氏名、住所、生年月日、性別、傷病に関する情報（打撲、骨折、外傷、内臓疾患など）、救急車の行先である傷病者が現在いる場所の情報、傷病者のことを通報した通報者の情報である。
【００３３】
また、第２の救急サーバ２Ｂは、第１の傷病者情報データベース４に記録された第１の傷病者情報を、救急隊員端末３からの要求に応じて専用通信回線を介して救急隊員端末３に送信する第１の傷病者情報送信部５を有する。
【００３４】
ここで、第１の救急サーバ２Ａは、指令サーバ１１から専用通信回線を介して受信した第１の傷病者情報を記録する第１の傷病者情報データベース（第１の傷病者情報記録部の一例である。）４を有する。
【００３５】
また、第２の救急サーバ２Ｂも、第１の救急サーバ２Ａが指令サーバ１１から受信した第１の傷病者情報を第１の救急サーバ２Ａから同期して受信し、受信した第１の傷病者情報を記録する第１の傷病者情報データベース４を有する。
【００３６】
また、第２の救急サーバ２Ｂは、第１の傷病者情報データベース４に記録された第１の傷病者情報を、救急隊員端末３に専用通信回線を介して送信する第１の傷病者情報送信部５を有する。
【００３７】
また、救急隊員端末３は、第２の救急サーバ２Ｂから専用通信回線を介して第１の傷病者情報を受信する第１の傷病者情報受信部６を有する。
また、救急隊員端末３は、第１の傷病者情報受信部６で受信した第１の傷病者情報に、救急車内の傷病者に基づいた情報である第２の傷病者情報を加えて、救急活動に関する情報である救急活動情報を作成する救急活動情報作成部７を有する。
【００３８】
ここで、「第２の傷病者情報」とは、具体的には例えば、心電図データなどの計測データ、傷病者の画像（静止画、動画）情報、処置情報である。
また、心電図データなどの計測データは、専用の計測機器で計測したデータであり、救急隊員端末３は、計測機器で計測したデータを受け取る機能を有する。
【００３９】
また、救急隊員端末３は、傷病者などを撮像できる撮像機能を有する。
また、救急隊員端末３は、救急活動に必要な資料等のデータをアップロードしたり、ダウンロードしたりできる機能を有する。ここで、アップロード先やダウンロード元となるサイトは、例えば、救急業務フローや救急処置ガイドといった情報が掲示された情報共有サイトである。
【００４０】
また、救急隊員端末３は、第１の傷病者情報を受信したとき、もしくは第２の傷病者情報が入力されたときに、傷病者の搬送および受入れに関する実施基準に基づいて、搬送先である医療機関に関する情報をピックアップして選定できる医療機関選定機能を有する。
また、ピックアップされる医療機関の情報は、救急隊員端末３に記録されていてもよいし、医療機関を選定するシステムのサーバに記録されていて適宜、救急隊員端末３にダウンロードされてもよい。
【００４１】
また、救急隊員端末３は、傷病者の個人情報が記録されたＩＣチップ付きカード（免許証、保険証など）から傷病者の個人情報（個人ＩＤなど）を読取り、読取った個人ＩＤに基づき住民基本台帳ネットワークシステムなど他のシステムのサーバから、さらに詳細な個人情報や、病歴など救急活動に必要とされる基本情報をダウンロードする傷病者情報参照機能を有する。
【００４２】
また、「救急活動情報」は、具体的には例えば、「傷病者の住所、氏名、性別および生年月日」、「救急隊員が出動する先の住所」、「いつ、どこで、どうして傷病が発生したかという現場状況」、「現場の静止画像」、「呼吸回数、脈拍回数、血圧、心電図データなどのバイタルデータ」、「傷病者の頭部、頸部、胸部、腹部などの観察結果」、「酸素投与、気道確保、薬剤投与などの処置情報」、「傷病者の静止画像」を含む情報である。
また、このような救急活動情報は、例えば、病院へ搬送した際に病院へ提出しなければならない、救急業務メディカルコントロール協議会が定める書類例えば救急活動記録票に記入すべき情報と対応している。
【００４３】
また、救急隊員端末３は、救急活動情報作成部７で得られた救急活動情報を第２の救急サーバ２Ｂへ専用通信回線を介して送信する救急活動情報送信部８を有する。
【００４４】
また、第１の救急サーバ２Ａは、第２の救急サーバ２Ｂから救急活動情報を同期して受信し、資料作成サーバ１０へ専用通信回線を介して救急活動情報を転送する救急活動情報転送部９を有する。
【００４５】
また、救急隊員端末３は、傷病者の傷病の原因となる動物例えばヘビ、ハチに関する情報を記録する動物情報データベース（動物情報記録部の一例である。）１２を有する。
【００４６】
また、救急隊員端末３は、医師に関する情報である医師情報を専門分野別に記録する医師情報データベース（医師情報記録部の一例である。）１３を有する。
【００４７】
また、救急隊員端末３は、傷病者の傷病の種類と医師情報データベース１３に記録された専門分野とを照合して、傷病者の傷病の種類例えば心臓疾患に対応する専門分野例えば心臓外科の医師が所属する病院（医療機関の一例である。）を選択する病院選択部（医療機関選択部の一例である。）１４を有する。
【００４８】
また、救急隊員端末３の救急活動情報作成部７は、病院選択部１４が選択した病院に関する情報である病院情報に基づいて救急活動情報を作成する。
【００４９】
また、図示していないが、救急隊員端末３は、作成した救急活動情報を紙媒体に出力する出力機能も有している。
また、救急活動情報は、搬送先の病院に提出しなければならない書類例えば救急活動記録票に記入すべき情報と対応しているので、救急活動情報作成部７は、救急活動記録票と同じ様式で救急活動情報を作成する。
従って、出力機能は、作成された救急活動情報を単に出力するだけで、救急活動記録票が得られる。
【００５０】
また、第２の救急サーバ２Ｂは、救急隊員端末３の病院選択部１４が選択した病院の病院端末１６から閲覧可能に構成された領域ごとに、病院選択部１４が選択した病院に対応する救急活動情報を記録する救急活動情報データベース（救急活動情報記録部の一例である。）１５を有する。
【００５１】
また、第２の救急サーバ２Ｂは、救急隊員端末３から受信した救急活動情報を、即時、病院端末１６へ伝送する救急活動情報伝送部１７を有する。
また、救急活動情報伝送部１７は、医師個人の携帯端末に、救急活動情報、特に心電図データなどを伝送することもできる。
【００５２】
また、病院端末１６で、救急活動情報データベース１５に記録された救急活動情報を閲覧する場合は、病院端末１６でＩＤとパスワードを入力してログインする。
ログインした後の病院端末１６の画面には、傷病者の氏名、性別、生年月日、バイタルデータ、処置情報、救急車が到着するまでの時間などが表示される。
【００５３】
また、救急移動体の例として救急車を挙げて説明したが、救急移動体の他の例としては、消防ヘリコプター、救急医療用ヘリコプター（ドクターヘリ）が挙げられる。
【００５４】
ここで、本発明の救急業務総合支援システムが、救急サーバから通信回線を介して、救急移動体で搬送される前の傷病者に関する情報である第１の傷病者情報を受信する第１の傷病者情報受信部と、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部と、救急活動情報作成部で得られた救急活動情報を前記救急サーバへ通信回線を介して送信する救急活動情報送信部とを有する救急隊員端末を備えていれば、必ずしも資料作成サーバを備えていなくてもよい。
【００５５】
しかし、本発明の救急業務総合支援システムが資料作成サーバを備えていれば、資料作成サーバが、救急サーバから救急活動情報を受信して、統計資料を作成するので、救急隊員が消防署に戻った後の救急隊員による統計資料作成のための入力業務を軽減することができ、好ましい。
【００５６】
また、本発明の救急業務総合支援システムが、救急サーバから通信回線を介して、救急移動体で搬送される前の傷病者に関する情報である第１の傷病者情報を受信する第１の傷病者情報受信部と、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部と、救急活動情報作成部で得られた救急活動情報を前記救急サーバへ通信回線を介して送信する救急活動情報送信部とを有する救急隊員端末を備えていれば、必ずしも指令サーバを備えていなくてもよい。
【００５７】
しかし、本発明の救急業務総合支援システムが指令サーバを備えていれば、最初に救急情報を受ける指令センターの指令サーバの第１の傷病者情報が、救急サーバを介して救急隊員端末に間接的に伝えられるので、指令センターと連携でき、救急隊員端末は救急活動情報を作成しやすい。
よって、好ましい。
【００５８】
また、本発明の救急業務総合支援システムが、救急サーバから通信回線を介して、救急移動体で搬送される前の傷病者に関する情報である第１の傷病者情報を受信する第１の傷病者情報受信部と、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部と、救急活動情報作成部で得られた救急活動情報を前記救急サーバへ通信回線を介して送信する救急活動情報送信部とを有する救急隊員端末を備えていれば、必ずしも救急サーバは、指令サーバから通信回線を介して第１の傷病者情報を受信し、かつ資料作成サーバへ通信回線を介して救急活動情報を転送する第１の救急サーバと、第１の救急サーバが指令サーバから受信する第１の傷病者情報を同期して受信し、第１の傷病者情報を救急隊員端末に送信する第２の救急サーバとで構成されていなくてもよい。
【００５９】
しかし、救急サーバが、第１の救急サーバと第２の救急サーバとで構成されていれば、救急サーバとして、２つの別個のサーバを使用し、指令サーバからの受信と、資料作成サーバへの転送を一方のサーバのみで行なっているので、不具合時の原因究明を行ないやすい。
また、救急サーバが、第１の救急サーバと第２の救急サーバとで構成されていれば、救急隊員端末と、指令サーバおよび資料作成サーバとは、直接通信せずに、救急サーバを介して通信する構成なので、指令サーバや資料作成サーバのセキュリティを確保することができる。
よって、好ましい。
【００６０】
また、本発明の救急業務総合支援システムが、救急サーバから通信回線を介して、救急移動体で搬送される前の傷病者に関する情報である第１の傷病者情報を受信する第１の傷病者情報受信部と、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部と、救急活動情報作成部で得られた救急活動情報を前記救急サーバへ通信回線を介して送信する救急活動情報送信部とを有する救急隊員端末を備えていれば、必ずしも救急隊員端末は、傷病者の傷病の原因となる動物に関する情報を記録する動物情報記録部を有していなくてもよい。
【００６１】
しかし、救急隊員端末が動物情報記録部を有していれば、傷病者に、救急隊員端末の画面を見せて、どのような動物が原因で傷病を負ったのかを直接聞き出すことができるので好ましい。
【００６２】
また、本発明の救急業務総合支援システムが、救急サーバから通信回線を介して、救急移動体で搬送される前の傷病者に関する情報である第１の傷病者情報を受信する第１の傷病者情報受信部と、第１の傷病者情報受信部で受信した第１の傷病者情報に、救急移動体内の傷病者に基づいた情報である第２の傷病者情報を加えて、救急活動に関する情報である救急活動情報を作成する救急活動情報作成部と、救急活動情報作成部で得られた救急活動情報を前記救急サーバへ通信回線を介して送信する救急活動情報送信部とを有する救急隊員端末を備えていれば、必ずしも救急サーバは、救急隊員端末の医療機関選択部が選択した医療機関の医療機関端末から閲覧可能に構成された領域ごとに、医療機関に対応する救急活動情報を記録しなくてもよい。
【００６３】
しかし、救急サーバが、救急隊員端末の医療機関選択部が選択した医療機関の医療機関端末から閲覧可能に構成された領域ごとに、医療機関に対応する救急活動情報を記録するので、傷病者の傷病の種類に対応する専門分野の医師が所属する医療機関と連絡をとりやすくなり、救命率を向上させることができるので好ましい。
【００６４】
次に、本発明の救急業務総合支援システムの流れを説明する。
急病人やケガ人など、救急車で搬送されるべき傷病者が発生した場合、傷病者または傷病者の介護者は、消防署の指令センターへ、電話で傷病者の容態を伝える。
【００６５】
このとき、指令サーバ１１には、傷病者または傷病者の介護者から伝えられた、傷病者の氏名、住所、生年月日、性別、傷病に関する情報（打撲、骨折、外傷、内臓疾患など）、救急車の行先である傷病者が現在いる場所の情報、傷病者のことを通報した通報者の情報といった第１の傷病者情報が記録される。
【００６６】
次に、指令サーバ１１は、第１の救急サーバ２Ａに専用通信回線を介して、第１の傷病者情報を送信する（ステップＳ１）。
【００６７】
また、第２の救急サーバ２Ｂも、第１の救急サーバ２Ａが指令サーバ１１から受信した第１の傷病者情報を第１の救急サーバ２Ａから同期して受信する（ステップＳ２）。
【００６８】
そして、第２の救急サーバ２Ｂは、第１の傷病者情報を、救急隊員端末３からの要求に応じて救急隊員端末３に専用通信回線を介して送信する（ステップＳ３）。
【００６９】
さらに、救急隊員端末３は、第１の傷病者情報受信部６で受信した第１の傷病者情報に、救急車内の傷病者に基づいた情報である第２の傷病者情報を加えて、救急活動に関する情報である救急活動情報を作成する（ステップＳ４）。
【００７０】
次に、救急隊員端末３は、作成した救急活動情報を第２の救急サーバ２Ｂへ専用通信回線を介して送信する（ステップＳ５）。
【００７１】
そして、第２の救急サーバ２Ｂは、救急活動情報を、即時、病院端末１６へ伝送する（ステップＳ６−１）。
また、第２の救急サーバ２Ｂが受信した救急活動情報を、第１の救急サーバ２Ａも第２の救急サーバ２Ｂから同期して受信する（ステップＳ６−２）。
【００７２】
そして、第１の救急サーバ２Ａは、資料作成サーバ１０へ専用通信回線を介して救急活動情報を転送する（ステップＳ７）。
【００７３】
以上のように、本発明の救急業務総合支援システムは、救急隊員端末が、第１の傷病者情報受信部で受信した第１の傷病者情報に、救急移動体内の傷病者に基づいた情報である第２の傷病者情報を加えて、救急活動に関する情報である救急活動情報を作成するので、第２の傷病者情報が入力されるだけで救急活動情報が作成され、搬送先の医療機関に提出される、救急活動情報が記録された書類の作成作業を軽減することができる。
【００７４】
また、救急隊員端末が救急サーバから通信回線を介して第１の傷病者情報を受信するので、救急隊員は、救急活動情報を作成するために必要な情報を救急隊員端末に入力する作業を省くことができる。
【００７５】
従って、本発明の救急業務総合支援システムは、救急隊員の業務負担を軽減できる。
【００７６】
また、救急活動記録票に記載される情報に対応する救急活動情報が、救急隊員端末から第２の救急サーバへ送信され、さらに第２の救急サーバから病院端末へ即時に伝送されるので、救急隊員が携帯電話にて病院に最初に連絡する際に、病院の医師などは、目視確認をしながら救急活動情報を受け取ることが可能となる。
【００７７】
また、救急活動情報は、傷病者の静止画像や現場の静止画像を含むので、救急隊員や病院の医師などは、より正確に情報を把握でき、その後の検証にも利用できる。
【００７８】
従って、病院へ迅速かつ正確な情報伝達が可能となり、適切な処置判断を病院から得られたり、病院の受け入れ準備がスムーズになったりする。
そして、病院の受け入れ準備がスムーズになることで、救命率を向上させることができる。
また、救急活動自体が短縮化され、救急隊員の帰署時間を早くすることができる。
【符号の説明】
【００７９】
１    救急業務総合支援システム
２    救急サーバ
２Ａ  第１の救急サーバ
２Ｂ  第２の救急サーバ
３    救急隊員端末
４    第１の傷病者情報データベース
５    第１の傷病者情報送信部
６    第１の傷病者情報受信部
７    救急活動情報作成部
８    救急活動情報送信部
９    救急活動情報転送部
１０    資料作成サーバ
１１    指令サーバ
１２    動物情報データベース
１３    医師情報データベース
１４    医療機関選択部
１５    救急活動情報データベース
１６    病院端末
１７    救急活動情報伝送部
【図１】
2014130516.tif 000003
【図２】
2014130516.tif 000004